(57)【要約】【課題】プリンタを必要とすることなく、光ディスクに高品位な可視画像を記録することができる光ディスク記録装置を提供する。【解決手段】光ディスク記録装置１００は、光ディスク２００の温度を検出する温度検出回路１４１を備え、温度検出回路１４１により検出した温度に基づいて、光ディスク２００の温度変化を相殺するように、光ディスク２００の変色層を変色させる際のレーザパワーを補正する。【選択図】　　　　図１
2004030831.tif 000002
【特許請求の範囲】
【請求項１】
変色層を有する光ディスクに対してレーザ光を照射する光照射手段と、
前記レーザ光の照射位置を制御する位置制御手段と、
入力した画像データに基づいて前記レーザ光のレーザパワーを制御するレーザパワー制御手段と、
前記光ディスクの温度を検出する温度検出手段と、
前記温度検出手段の検出結果に基づいて、前記光ディスクの温度変化を相殺するように、前記レーザ光によって前記変色層を変色させる際のレーザパワーを補正するレーザパワー補正手段と
を備えることを特徴とする光ディスク記録装置。
【請求項２】
変色層を有する光ディスクに対してレーザ光を照射する光照射手段と、
前記レーザ光の照射位置を制御する位置制御手段と、
前記光ディスクを回転させる回転制御手段と、
入力した画像データに基づいて前記レーザ光のレーザパワーを制御するレーザパワー制御手段と、
前記光ディスクの温度を検出する温度検出手段と、
前記温度検出手段の検出結果に基づいて、前記光ディスクの温度変化を相殺するように、前記光ディスクの回転速度を制御する
ことを特徴とする光ディスク記録装置。
【請求項３】
変色層を有する光ディスクに対してレーザ光を照射する光照射手段と、
前記レーザ光の照射位置を制御する位置制御手段と、
入力した画像データに基づいて前記レーザ光のレーザパワーを制御するレーザパワー制御手段と、
前記光ディスクによって反射された前記レーザ光の反射光を受光し、受光レベルを示す受光信号を出力する受光手段と、
前記レーザパワー制御手段は、前記画像データに基づいて前記変色層を変色させるレーザパワーのレーザ光を照射するときは、前記受光信号が示す受光レベルの変化率が予め定めた範囲の変化率になるように、前記レーザ光のレーザパワーを制御する
ことを特徴とする光ディスク記録装置。
【請求項４】
変色層を有する光ディスクに対してレーザ光を照射する光照射手段と、
前記レーザ光の照射位置を制御する位置制御手段と、
前記光ディスクを回転させる回転制御手段と、
入力した画像データに基づいて前記レーザ光のレーザパワーを制御するレーザパワー制御手段と、
前記光ディスクによって反射された前記レーザ光の反射光を受光し、受光レベルを示す受光信号を出力する受光手段と、
前記レーザパワー制御手段は、前記画像データに基づいて前記変色層を変色させるレーザパワーのレーザ光を照射するときは、前記受光信号が示す受光レベルの変化率が予め定めた範囲の変化率になるように、前記光ディスクの回転速度を制御する
ことを特徴とする光ディスク記録装置。
【発明の詳細な説明】
【０００１】
【発明の属する技術分野】
本発明は、光ディスクに可視画像を記録する光ディスク記録装置に関する。
【０００２】
【従来の技術】
従来より、ＣＤ−Ｒ（Ｃｏｍｐａｃｔ　Ｄｉｓｃ−Ｒｅｃｏｒｄａｂｌｅ）、ＣＤ−ＲＷ（Ｃｏｍｐａｃｔ　Ｄｉｓｋ　Ｒｅｗｒｉｔａｂｌｅ）などの記録可能な光ディスクに情報を記録する光ディスク記録装置がある。光ディスク記録装置は、レーザ光を光ディスクの記録面に照射し、記録すべきデータに応じてレーザパワーを制御することによって情報記録を行う。
【０００３】
一方、光ディスクの記録面の反対側には、レーベル面が用意されている。レーベル面は、ユーザが光ディスクの記録内容などを書き込むエリアとして使用される。近年では、ユーザがパーソナルコンピュータ（以下、ＰＣという。）を用いてレーベル面の画像をデザインし、プリンタを用いてレーベル面貼付用シートに印刷してレーベル面に貼り付けたり、また、プリンタを用いて光ディスクのレーベル面に直接印刷を行うことが広く実施されている。
【０００４】
【発明が解決しようとする課題】
しかしながら、レーベル面貼付用シートにオリジナル画像を印刷するには、プリンタが必要となる。さらに、レーベル面貼付用シートを使用する場合は、ユーザがシートの貼り付けに失敗する場合があり、作業が繁雑になってしまう。一方、レーベル面に直接印刷を行う場合は、失敗は少ないものの、レーベル面への印刷機能を具備するプリンタを購入する必要がある。
【０００５】
ところで、光ディスクの記録面は、レーザ光により記録層の反射率が変化させられて情報記録が行われるものである。発明者らは、情報記録の際に色が変化することに着目して、レーザ光により光ディスクに可視画像を記録することを発想した。
【０００６】
しかしながら、従来の光ディスク記録装置は、同一パワーのレーザ光を照射するため、光ディスクの温度が変化すると、レーザによって発色温度に到達するまでの時間（以下、「記録感度」という。）が変わってしまう。この記録感度のばらつきは、発色位置のずれやコントラストのずれを招き、可視画像の輪郭がぼけてしまったり、コントラストに斑が生じてしまう、といった問題を生じさせる。
【０００７】
一方、従来の光ディスク記録装置には、光ディスク毎にレーザーパワーを設定するものがある。しかしながら、この光ディスク記録装置も記録時のレーザパワーを一定に維持するようになっている。このため、光ディスクの温度に応じて記録感度にばらつきが生じるという点は同じで、上記と同様の問題が生じてしまう。
【０００８】
そこで、本発明は、上述した事情に鑑みてなされたものであり、プリンタを必要とすることなく、光ディスクに高品位な可視画像を記録することができる光ディスク記録装置を提供することを目的としている。
【０００９】
【課題を解決するための手段】
上述課題を解決するため、本発明は、変色層を有する光ディスクに対してレーザ光を照射する光照射手段と、前記レーザ光の照射位置を制御する位置制御手段と、入力した画像データに基づいて前記レーザ光のレーザパワーを制御するレーザパワー制御手段と、前記光ディスクの温度を検出する温度検出手段と、前記温度検出手段の検出結果に基づいて、前記光ディスクの温度変化を相殺するように、前記レーザ光によって前記変色層を変色させる際のレーザパワーを補正するレーザパワー補正手段とを備えることを特徴とする光ディスク記録装置を提供する。この構成によれば、光ディスクの温度変化を相殺するように、レーザ光によって前記変色層を変色させる際のレーザパワーを補正するので、レーザ照射位置の温度を一定にすることができ、記録感度を一定にすることができる。
【００１０】
また、本発明は、変色層を有する光ディスクに対してレーザ光を照射する光照射手段と、前記レーザ光の照射位置を制御する位置制御手段と、前記光ディスクを回転させる回転制御手段と、入力した画像データに基づいて前記レーザ光のレーザパワーを制御するレーザパワー制御手段と、前記光ディスクの温度を検出する温度検出手段と、前記温度検出手段の検出結果に基づいて、前記光ディスクの温度変化を相殺するように、前記光ディスクの回転速度を制御することを特徴とする光ディスク記録装置を提供する。この構成によれば、光ディスクの温度変化を相殺するように、光ディスクの回転速度を制御するので、レーザ照射位置の温度を一定にすることができ、記録感度を一定にすることができる。
【００１１】
また、本発明は、変色層を有する光ディスクに対してレーザ光を照射する光照射手段と、前記レーザ光の照射位置を制御する位置制御手段と、入力した画像データに基づいて前記レーザ光のレーザパワーを制御するレーザパワー制御手段と、前記光ディスクによって反射された前記レーザ光の反射光を受光し、受光レベルを示す受光信号を出力する受光手段と、前記レーザパワー制御手段は、前記画像データに基づいて前記変色層を変色させるレーザパワーのレーザ光を照射するときは、前記受光信号が示す受光レベルの変化率が予め定めた範囲の変化率になるように、前記レーザ光のレーザパワーを制御することを特徴とする光ディスク記録装置を提供する。この構成によれば、受光レベルの変化率が予め定めた範囲の変化率になるようにレーザ光のレーザパワーを制御するので、変色層を確実に変色させることができる。
【００１２】
また、本発明は、変色層を有する光ディスクに対してレーザ光を照射する光照射手段と、前記レーザ光の照射位置を制御する位置制御手段と、前記光ディスクを回転させる回転制御手段と、入力した画像データに基づいて前記レーザ光のレーザパワーを制御するレーザパワー制御手段と、前記光ディスクによって反射された前記レーザ光の反射光を受光し、受光レベルを示す受光信号を出力する受光手段と、前記レーザパワー制御手段は、前記画像データに基づいて前記変色層を変色させるレーザパワーのレーザ光を照射するときは、前記受光信号が示す受光レベルの変化率が予め定めた範囲の変化率になるように、前記光ディスクの回転速度を制御することを特徴とする光ディスク記録装置を提供する。この構成によれば、受光レベルの変化率が予め定めた範囲の変化率になるようにレーザ光のレーザパワーを制御するので、変色層を確実に変色させることができる。
【００１３】
【発明の実施の形態】
以下、図面を参照して本発明の実施形態を詳述する。以下に示す実施形態は、本発明の一態様を示すものであり、この発明を限定するものではなく、本発明の範囲内で任意に変更可能である。
【００１４】
（１）　実施形態
（１．１）　実施形態の構成
本実施形態に係る光ディスク記録装置１００について説明する前に、まず、この光ディスク記録装置１００によってレーベル面に可視画像が記録される光ディスク２００の構成について説明する。図１は、光ディスク２００の断面図である。この図に示すように、光ディスク２００は、保護層２０１と、記録層２０２、反射層２０３、保護層２０４、感熱層２０５、保護層２０６が、これらの順序で積層された構造となっている。なお、図１は、あくまでも模式図であり、各層の寸法比等は、この図に示される通りとは限らない。
【００１５】
記録層２０２には、その面上（図中上側）に螺旋状にグルーブ（案内溝）２０２ａが形成されている。この光ディスク２００に情報を記録するときには、このグルーブ２０２ａに沿ってレーザ光を照射することになる。
すなわち、情報を記録する時には、光ディスク２００の保護層２０１側の面（以下、「記録面」という）を光ディスク記録装置１００の光ピックアップ（後に詳述）と対向するようにセットし、この光ピックアップが照射するレーザ光をグルーブ２０２ａに沿って移動させることにより情報が記録される。
【００１６】
一方、光ディスク２００の面上に可視画像を記録する場合には、保護層２０６の面（以下、「レーベル面」という）が光ディスク記録装置１００の光ピックアップと対向するように光ディスク２００をセットする。そして、感熱層２０５にレーザ光を照射することにより、感熱層２０５の所望の位置を熱変色させて画像を形成する。なお、この光ディスク２００は、感熱層２０５が設けられる点以外は、従来から使用されているＣＤ−Ｒとほぼ同様の構成である。したがって、この光ディスク２００のリードイン領域についても、従来のＣＤ−Ｒと同様に、メディアのタイプやレイアウト、最適なレーザーパワー、書き込み速度、製造メーカーといったＡＴＩＰ（Ａｂｓｏｌｕｔｅ　Ｔｉｍｅ　Ｉｎ　Ｐｒｅｇｒｏｏｖｅ）情報が予め記録されている。
【００１７】
次に、本実施形態に係る光ディスク記録装置１００について説明する。この光ディスク記録装置１００は、上述した光ディスク２００の記録面への情報記録と、レーベル面への可視画像の記録とを行うことが可能な装置である。
なお、この光ディスク記録装置１００は、図示しない信号ケーブルを介してパーソナルコンピュータ（以下、ＰＣという。）３００と接続され、信号ケーブルを介して記録面に記録すべき記録データや可視画像に対応する画像データなどを入力する。この光ディスク記録装置１００とＰＣ３００との接続には、任意のインターフェース規格を適用することができ、例えば、ＳＣＳＩ（Ｓｍａｌｌ　ＣｏｍｐｕｔｅｒＳｙｓｔｅｍ　Ｉｎｔｅｒｆａｃｅ）規格や、ＩＥＥＥ（Ｉｎｓｔｉｔｕｔｅ　ｏｆ　Ｅｌｅｃｔｒｉｃａｌ　ａｎｄ　Ｅｌｅｃｔｒｏｎｉｃ　Ｅｎｇｉｎｅｅｒｓ）１３９４規格、ＡＴＡＰＩ（ＡＴ　Ａｔｔａｃｈｍｅｎｔ　Ｐａｃｋｅｔ　Ｉｎｔｅｒｆａｃｅ）規格、ＵＳＢ（Ｕｎｉｖｅｒｓａｌ　Ｓｅｒｉａｌ　Ｂｕｓ）規格などが適用される。
【００１８】
図２は、光ディスク記録装置１００の電気的構成を示すブロック図である。同図において、スピンドルモータ１０１は、光ディスク２００を回転駆動する。周波数発生器１０２は、スピンドルモータ１０１の逆起電流を利用して、スピンドル回転速度（単位時間当たりの回転数）に応じた周波数のパルス信号ＦＧを出力する。本実施形態における光ディスク記録装置１００は、ＣＡＶ（Ｃｏｎｓｔａｎｔ　Ａｎｇｕｌａｒ　Ｖｅｌｏｃｉｔｙ）方式で情報記録および画像記録を行うものとする。したがって、スピンドルモータ１０１は、一定の角速度で光ディスク２００を回転駆動するようになっている。
【００１９】
光ピックアップ１０３は、光ディスク２００に対してレーザ光を照射するユニットであり、その構成を図３に示す。同図に示すように、光ピックアップ１０３は、レーザ光を出射するレーザダイオード１０４と、回折格子１０５と、レーザ光を光ディスク２００の面に集光させる光学系１１０と、レーザ光の反射光を受光する受光素子１０６とを備えている。なお、レーザダイオード１０４は、レーザドライバ（図２参照）からの駆動信号Ｌｉに応じてレーザ光を出射する。
【００２０】
レーザダイオード１０４より出射されたレーザ光は、回折格子１０５により主ビームと先行ビームと後行ビームとに分離され、これらの３つのレーザビームが偏光ビームスプリッタ１１１、コリメータレンズ１１２、１／４波長板１１３、対物レンズ１１４を順に経て、光ディスク２００の面に集光される。一方、光ディスク２００にて反射された３つのレーザビームは、再び対物レンズ１１４、１／４波長板１１３、コリメータレンズ１１２を順に経て、偏光ビームスプリッタ１１１にて反射され、シリンドリカルレンズ１１５により集光されて受光素子１０６に入射するようになっている。受光素子１０６は、受光に応じた信号を受光信号ＲｖとしてＲＦアンプ（図２参照）に出力する。
【００２１】
ここで、同図に示すように、対物レンズ１１４は、フォーカスアクチュエータ１２１およびトラッキングアクチュエータ１２２に保持されている。フォーカスアクチュエータ１２１は、サーボ回路１０７（図２参照）からのフォーカスエラー信号Ｆｃに従って対物レンズ１１４を光軸方向に移動させる。一方、トラッキングアクチュエータ１２２は、サーボ回路１０７からのトラッキングエラー信号Ｔｒに従って対物レンズ１１４を光ディスク２００の径方向に移動させる。これにより、フォーカス制御とトラッキング制御とが行われるようになっている。
【００２２】
サーボ回路１０７は、スピンドルモータ１０１の回転速度制御と、光ピックアップ１０３のフォーカス制御およびトラッキング制御とを実行する。より具体的には、サーボ回路１０７は、周波数発生器１０２からのパルス信号ＦＧと、制御部１３０からの指示信号とが入力され、パルス信号ＦＧにより示されるスピンドルモータ１０１の回転速度が指示信号により示される回転速度と略等しくなるように、スピンドルモータ１０１を制御する。上述したように、本実施形態に係る光ディスク記録装置１００では、ＣＡＶ方式を採用しているため、サーボ回路１０７は、制御部１３０によって指示された一定の角速度でスピンドルモータ１０１を回転駆動させる。ただし、ＣＡＶ方式に限定するものではなく、一定の線速度となるように光ディスク２００を回転駆動する方式（ＣＬＶ：Ｃｏｎｓｔａｎｔ　Ｌｉｎｅａｒ　Ｖｅｌｏｃｉｔｙ）があり、いずれを用いるようにしても良いことは、勿論である。
【００２３】
また、サーボ回路１０７は、光ピックアップ１０３の受光素子１０６からの受光信号ＲｖがＲＦアンプ１０８を介して入力され、この受光信号Ｒｖに応じてフォーカスエラー信号Ｆｃおよびトラッキングエラー信号Ｔｒを生成する。
【００２４】
ＲＦアンプ１０８は、光ピックアップ１０３からの受光信号Ｒｖを増幅してサーボ回路１０７およびデコーダ１０９にＲＦ信号として出力する。ここで、ＲＦ信号は、光ディスク２００の情報再生時にあっては、ＥＦＭ（Ｅｉｇｈｔ　ｔｏ　Ｆｏｕｒｔｅｅｎ　Ｍｏｄｕｌａｔｉｏｎ）変調された信号となり、デコーダ１０９は、受け取ったＲＦ信号をＥＦＭ復調して再生データを生成し、制御部１３０に出力する。
【００２５】
ステッピングモータ１３１は、光ピックアップ１０３を光ディスク２００の径方向に移動させるためのモータである。モータドライバ１３２は、モータコントローラ１３３から供給されたパルス信号に応じてステッピングモータ１３１を回転駆動する。モータコントローラ１３３は、制御部１３０から指示される光ピックアップ１０３の径方向への移動方向および移動量を含む移動開始指示にしたがって、移動量や移動方向に応じたパルス信号を生成し、モータドライバ１３２に供給する。
ステッピングモータ１３１が光ピックアップ１０３を光ディスク２００の径方向に移動させること、および光ディスク２００をスピンドルモータ１０１が光ディスク２００を回転させることにより、光ピックアップ１０のレーザ光の照射位置を光ディスク２００の様々な位置に移動させることができ、これらの構成要素が位置制御手段を構成しているのである。
【００２６】
次いで、バッファメモリ１３５およびフレームメモリ１３４は、ＰＣ３００からインターフェース１３９を介して供給された各種データを一時的に蓄積する。詳述すると、バッファメモリ１３５は、光ディスク２００の記録面に記録すべき記録データをＦＩＦＯ（先入れ先出し）形式にて記憶する。エンコーダ１３６は、バッファメモリ１３５から読み出された記録データをＥＦＭ変調し、ストラテジ回路１３７に出力する。ストラテジ回路１３７は、エンコーダ１３６から供給されたデータに対して時間軸補正処理等をして、レーザドライバ１３８に出力する。
【００２７】
一方、フレームメモリ１３４は、光ディスク２００に形成すべき可視画像の画像データを蓄積する。この画像データは、光ディスク２００に描画すべきドットの濃度（コントラスト）を規定するデータの集合であり、各ドットＰについては、図４に示されるように、光ディスク２００の同心円と中心からの放射線との各交点に対応するものが規定されている。ここで、光ディスク２００における交点座標を説明するために、同心円を内周側から外周側に向かって順番に１行、２行、３行、……ｍ（最終）行と規定し、ある一の放射線を基準線としたときに、他の放射線を、時計回り順に１列、２列、３列、……ｎ（最終）列と便宜的に規定する。なお、この図は、各ドットの位置を模式的に示したに過ぎず、実際には各ドットは密に配列される。
【００２８】
このようにドットの配列を規定した理由は次の通りである。規格上、光ディスク２００への情報記録時においては、光ディスク２００は、記録面から見て反時計回りに回転する一方、光ピックアップ１０３が内周側から外周側に移動する構成となっている。上記構成を前提とすると、レーベル面を光ピックアップ１０３と対向するようにセットした状態でも、光ディスク２００は反時計回りに回転する一方、光ピックアップ１０３が内周側から外周側に移動する。したがって、光ピックアップ１０３から見ると、光ディスク２００は反時計回りに回転すると共に、光ディスク２００の内周側から外周側に移動することとなる。上記ドットの配列順は、この光ピックアップ１０３の走査順に対応したものである。
【００２９】
これに対応し、フレームメモリ１３４には、画像データがｍ行ｎ列の配列で記憶される。このフレームメモリ１３４に蓄積された画像データは、制御部１３０によって１行単位で順に読み出され、１ドット単位でレーザドライバ１３８に供給される。
【００３０】
レーザドライバ１３８は、情報記録時にあっては、ストラテジ回路１３７から供給された変調データにしたがって、可視画像記録時にあっては、フレームメモリ１３４から供給された画像データにしたがって、それぞれレーザパワー制御回路１４０の制御に従って光ピックアップ１０３のレーザダイオード１０４を駆動する。
【００３１】
一方、レーザダイオード１０４のレーザパワーは、次のように制御される。すなわち、光ピックアップ１０３は、フロントモニタダイオード（不図示）を有し、このフロントモニタダイオードは、レーザダイオード１０４のモニタ光（このレーザダイオード１０４のチップ背面から出る光など）を受光し、受光量に応じた電流を生成し、モニタ電流としてレーザパワー制御回路１４０に出力する。
【００３２】
レーザパワー制御回路１４０は、入力したモニタ電流値に応じて、レーザダイオード１０４から照射されるレーザパワーを制御する。具体的には、レーザパワー制御回路１４０は、モニタ電流値を用い、目標となるレーザパワーのレーザ光が光ピックアップ１０３から照射されるように、レーザドライバ１３８をフィードバック制御する。ここで、レーザパワーの目標値は、制御部１３０によって指示される最適なレーザパワーであり、実際には、そのレーザパワーに対応するモニタ電流値が指示される。
【００３３】
温度検出回路１４１は、サーミスタなどの感温素子（図示せず）が接続され、その感温素子により光ディスク記録装置１００の回路基板の温度を測定して制御部１３０に通知する。
ところで、光ディスク記録装置１００の内部温度は、レーザダイオード１０４や各種モータや回路などから発せられる熱によって外気温より高くなる。一方、光ディスク２００は、光ディスク記録装置１００の内部に配置されるため、熱平衡により光ディスク記録装置１００の内部温度とほぼ同じ温度になる。そこで、本実施形態では、光ディスク記録装置１００においては、光ディスク２００や回路基板などが密に配置されているため、レーザダイオード１０４などの熱源の近くを除いて、光ディスク２００と回路基板の温度をほぼ同様とみなし、回路基板の温度を測定することによって、光ディスク２００の温度を測定することとしている。なお、要は光ディスク２００の温度を測定できる位置に感温素子を配置すればよいが、そのような位置の中でも回路基板に配置するのが最も簡易かつ確実である。このため、本実施形態では、回路基板の温度を測定するようにしているのである。
【００３４】
制御部１３０は、ＣＰＵ（Ｃｅｎｔｒａｌ　Ｐｒｏｃｅｓｓｉｎｇ　Ｕｎｉｔ）、ＲＯＭ（Ｒｅａｄ　Ｏｎｌｙ　Ｍｅｍｏｒｙ）およびＲＡＭ（Ｒａｎｄｏｍ　Ａｃｃｅｓｓ　Ｍｅｍｏｒｙ）等から構成されており、ＲＯＭに格納されたプログラムにしたがって当該光ディスク記録装置１００の装置各部を制御し、光ディスク２００の記録面に対する情報記録処理およびレーベル面に対する可視画像記録処理を中枢的に制御するように構成されている。
【００３５】
（１．２）　実施形態の動作
次に、本実施形態に係る光ディスク記録装置１００の動作を説明する。この光ディスク記録装置１００については、光ディスク２００への可視画像の記録を主な特徴とするものではあるが、一方で、従来の情報記録機能に加えて、当該可視画像記録機能を併せて持つ一種の兼用機である点を従の特徴とするものである。以下、情報記録時の動作については簡単に説明し、本件の特徴である可視画像記録時の動作については詳細に説明する。
【００３６】
光ディスク記録装置１００において、光ディスク２００がセットされると、制御部１３０は、光ディスク２００の角速度が予め定めた角速度となるよう、サーボ回路１０７によりスピンドルモータ１０１を回転制御する。また、制御部１３０は、モータコントローラ１３３に移動開始指示を行うことによって、ステッピングモータ１３１を回転させて光ピックアップ１０３をリードイン領域に相当する位置に移動させる。
【００３７】
次に、制御部１３０は、ＡＴＩＰ情報が記録されているか否かを判別する。ここで、判別結果が肯定的な場合は記録面が光ピックアップに向けてセットされていると判別するため、情報記録処理に移行する。
一方、判別結果が否定的な場合はレーベル面が光ピックアップに向けてセットされていると判別するため、可視画像記録処理に移行するようになっている。
【００３８】
（１．２．１）　情報記録時
情報記録処理は従来とほぼ同様である。制御部１３０は、ＡＴＩＰ情報が記録されていると判別すると、まず、ＡＴＩＰ情報を読み出す。上述したように、ＡＴＩＰ情報には、メディアのタイプや最適なレーザパワーや製造メーカの情報が適宜記述されているので、制御部１３０は、これらの情報に基づいてレーザパワーの目標値を設定する。具体的には、制御部１３０は、ＡＴＩＰ情報に記述される最適なレーザパワーの値をそのまま目標値とする処理、または、ＡＴＩＰ情報に記述された製造メーカなどの情報に基づいて、製造メーカとレーザパワーとを対応付けしたテーブルを参照してレーザパワーの目標値を選定する処理などを行い、その後、レーザパワー制御回路１４０のレーザパワーの目標値を設定する。これにより、制御部１３０は、ＡＴＩＰ情報に基づいて簡易にレーザパワーの目標値を設定するようになっている。
【００３９】
ここで、制御部１３０は、情報記録時および可視画像記録時においては、光照射位置に基づいて、レーザパワーの目標値を光照射位置が外周側に行くに従って徐々に大きくことも行っている。これは、本実施形態はＣＡＶ方式を採用するため、線速に応じてレーザパワーを変化させないと、光ディスク２００の単位面積当たりのレーザパワー（書き込みパワー）が変わってしまうからである。
【００４０】
一方、ＰＣ３００から記録データが供給されると、制御部１３０は、記録データをバッファメモリ１３５に記録させると共に、記録された順で読み出してエンコーダ１３６によりＥＦＭ変調させ、ストラテジ回路１３７により時間軸補正処理などを施す。
【００４１】
続いて、制御部１３０は、レーザドライバ１３８により、ストラテジ回路１３７からのデータに従って光ピックアップ１０３から出射されるレーザ光のレーザパワーをライトレベル、サーボレベルに切り替え制御する。ここでのライトレベルは、光ディスク２００の記録層２０２に対して、レーザ照射領域の反射率を充分に変化させるパワーレベルである。一方、サーボレベルは、レーザ照射領域の反射率を変化させないパワーレベルであるが、トラッキング制御とフォーカス制御を可能な受光レベルを得るためのパワーレベルを満足するレベルである。
【００４２】
ここで、このライトレベルが、レーザパワー制御回路１４０によって、制御部１３０がＡＴＩＰ情報から設定したレーザパワーの目標値に制御されるようになっている。これにより、記録データが低い誤り率で光ディスク２００に記録される。なお、情報記録の際には、上記処理と並行して、スピンドルモータ１０１の回転制御、グルーブをトレースするためのトラッキング制御、およびフォーカス制御が常時実行され、光ディスク２００のグルーブ２０２ａに沿って記録データが内周側から書き込まれるようになっている。
【００４３】
（１．２．２）　可視画像記録時の動作
次に、可視画像記録時の動作を説明する。なお、可視画像記録時においても、スピンドルモータ１０１の回転制御、およびフォーカス制御が常時実行されるが、上述したように、グルーブ２０２ａをトレースするためのトラッキング制御は実行されない。この可視画像記録時の動作においては、フォーカス制御や、レーザ照射位置の検出といった従の動作についても特徴があるため、これらを説明した後に、主の動作を説明する。
【００４４】
＜フォーカス制御＞
ところで、可視画像記録時においては、レーベル面にレーザ光を照射するので、情報記録時のようなグルーブ２０２ａをトレースさせるトラッキング制御はできない。
このため、可視画像記録時においては、光ディスク２００の回転方向を主走査方向とし、径方向を副走査方向として考えた場合に、レーザ光の照射位置を径方向に必要量だけ副走査させるための手段は、ステッピングモータ１３１の回転によって光ピックアップ１０３を移動させる構成となる。
【００４５】
ここで、ステッピングモータ１３１による光ピックアップ１０３の最小移動分解能は１０μｍ程度であるとすると、レーベル面の副走査方向における最小ピッチもこの分解能と同じ１０μｍ程度となる。
したがって、本実施形態では、レーベル面に対するレーザ光のスポット径が分解能に等しい１０μｍ程度となるようにフォーカス制御し、可視画像のドットに対応する画像データに応じてレーザパワーを切り替え制御することによって、ドット感の距離が短い密な可視画像を記録するようになっている。
【００４６】
＜レーザ照射位置の検出＞
一方、可視画像記録時において、光ディスク２００における基準線および列の検出は以下のように行われる。
回転検出器１０２は、上述したようにスピンドル回転速度に応じた周波数のパルス信号ＦＧを出力する。ＰＬＬ回路１４２は、パルス信号ＦＧの周波数を逓倍したクロック信号ＣＫを生成して制御部１３０に出力する。また、分周回路１４３は、信号ＦＧを分周した基準信号ＳＦＧを生成して制御部１３０に供給する。
【００４７】
ここで、スピンドルモータ１０１が１回転、すなわち、光ディスク２００が１回転する期間に回転検出器１０２がパルス信号ＦＧとして、図５に示されるように８個のパルスを生成するとした場合、分周回路１４３は、信号ＦＧを１／８分周し、基準信号ＳＦＧとして出力する。このため、制御部１３０は、基準信号ＳＦＧの立ち上がりタイミングを、レーザ照射位置が光ディスク２００の基準線を通過したタイミングであると検出することができる。
【００４８】
また、この場合に、ＰＬＬ回路１４２における周波数の逓倍率を、１行当たりの列数ｎを８で除した商の値に設定すると、クロック信号ＣＫの１周期は、光ディスク２００がドット配列の一列分の角度だけ回転した期間に一致することになる。したがって、制御部１３０は、基準信号ＳＦＧが立ち上がってからクロック信号ＣＫの立ち上がりタイミングを順次カウントすることで、光ピックアップ１０３のレーザ光照射位置が光ディスク２００の基準線を通過してから何列目であるかを検出することができる。
【００４９】
なお、光ディスク２００の基準線というべき表現は、正確にはスピンドルモータ１０１の回転軸に対する基準線と言うべきものであるが、光ディスク２００は回転軸に直結するテーブル（図示せず）にチャッキングされた状態にて回転するので、スピンドルモータ１０１の回転軸に対する基準線は、光ディスク２００のある一の放射線と一定の位置関係を保つ。したがって、当該状態が維持される限り、光ディスク２００における一の放射線を光ディスク２００の基準線と読んでも差し支えない。
【００５０】
また、本実施形態では、基準信号ＳＦＧの立ち上がりタイミングを、光ディスク２００の基準線通過タイミングとし、クロック信号ＣＫの立ち上がりタイミングを、ドット配列の１列分の角度だけ回転したタイミングとしているが、いずれの場合も、立ち下がりのタイミングを用いてもよいのは勿論である。
【００５１】
＜記録時の主の動作＞
まず、制御部１３０は、光ピックアップ１０３を光ディスク２００の最内周（１行目）に相当する地点まで移動させる命令を出力する。この命令によって、モータコントローラ１３３は、光ピックアップ１０３を当該地点まで移動させるために必要な信号を生成し、モータドライバ１３２によりステッピングモータ１３１を回転させ、光ピックアップ１０３が当該地点に移動することとなる。
【００５２】
次に、制御部１３０は、レーザパワー算出処理を実行する。このレーザパワー算出処理は、レーザパワーを変えて試し書きを行うことによって、その光ディスク２００の感熱層２０５を充分に変色させるレーザパワー（ライトレベル）を求める処理である。ここで、図６は、レーザパワー算出時の制御部１３０の動作を示すフローチャートである。
この処理において、制御部１３０は、まず、変数ｘに「１」をセットする（ステップＳ１０）。ここで、変数ｘは、書き込みを行うｙ周回（ｙ＞１）のうち、何周回目であるかを把握するために用いられる。したがって、変数ｘに「１」をセットすることによって最初の第１周回である旨が把握される。
【００５３】
続いて、制御部１３０は、基準信号ＳＦＧの立ち上がりタイミングが到来するまで、つまり、レーザ照射位置に基準線が到来するまで待機する（ステップＳ１１）。ここで、基準信号ＳＦＧが立ち上がると、制御部１３０は、試し書きを開始するように所定の書き込み命令を出力する（ステップＳ１２）。この命令によって、レーザドライバ１３８は、レーザダイオード１０４のレーザパワーをライトレベル、サーボレベルに切り替え制御すると共に、ここでのライトレベルが、レーザパワー制御回路１４０によって予め定めた最低レベルから徐々に大きいレベルに変化させられる。したがって、光ディスク２００の感熱層２０５の発色温度が低い場合は、低パワーのライトレベルで変色するため、基準線通過後早めに変色されるのに対し、感熱層２０５の発色温度が高い場合は遅めに変色することとなる。つまり、光ディスク２００の感熱層２０５の発色温度が高いほど、レーザ光によって変色される位置が基準線から時計方向に移動することとなる。また、この書き込み処理は、基準信号ＳＦＧの１周期の時間毎に同様の処理を繰り返すようになっている。
【００５４】
次に、制御部１３０は、基準信号ＳＦＧの立ち上がりタイミングが到来するまで待機し（ステップＳ１３）、基準信号ＳＦＧが立ち上がると、変数ｘがｙであるか否かを判別する（ステップＳ１４）。ここで、判別結果が否定的であれば、、制御部１３０は、変数ｘを「１」だけインクリメントし（ステップＳ１５）、処理手順をステップＳ１３に進める。これにより、光ディスク２００の同位置に対して前回と同じレーザパワーのレーザ光が照射されることとなる。
一方、判別結果が肯定的であれば、制御部１３０は、書き込み終了の命令を出力する（ステップＳ１６）。これにより、光ディスク２００の同位置に対して、同じレーザパワーのレーザ光が複数回（ｙ回）照射されると、書き込み処理が終了する。
【００５５】
ここで、同じレーザパワーのレーザ光を同位置に複数回照射する理由は次の通りである。上述したように、レーベル面にレーザ光を照射する場合は、グルーブ２０２ａをトレースするためのトラッキング制御ができない。そのため、一回の書き込みだけだと、後で読み出しの際にその位置（行）を正確にトレースできない可能性が高い。そこで、本実施形態では、同一パワーのレーザ光を複数回同じ位置に照射することによって、同一コントラストの変色領域を径方向に拡げ、読み出しの際に確実にその変色領域をトレースできるようにしている。
【００５６】
この後、制御部１３０は、書き込みを行った領域の読み出しを行うべく、再び光ディスク２００の最内周に相当する地点まで移動させる命令を出力する（ステップＳ１７）。また、制御部１３０は、レーザドライバ１３８によりレーザダイオード１０４のレーザパワーをサーボレベルに切り替える（ステップＳ１８）。続いて、制御部１３０は、基準線の通過を検出すると（ステップＳ１９）、ＲＦアンプ１０８からのＲＦ信号が予め定めた閾地レベル以下になるまで待機する（ステップＳ２０）。ここで、この閾地レベルは熱変色したことを判別するために予め設定されたレベルである。したがって、制御部１３０は、レーザ照射位置が熱変色された位置になるまで待機する。
【００５７】
ここで、ＲＦ信号が閾地レベル以下になると、制御部１３０は、その時点の光照射位置に基づいて、該位置で照射したライトレベルのレーザパワーを目標値に設定する（ステップＳ２１）。上述した書き込み処理においては、基準線を開始タイミングとして、レーザパワーを最低レベルから徐々に大きくするので、レーザパワーの目標値は、熱変色をさせる最低のレーザパワーに設定するようになっている。
【００５８】
なお、熱変色可能なレーザパワーであれば、いずれも目標値として設定可能と言える。しかしながら、レーザパワーを大きくするほどレーザダイオード１０４の発熱量が多くなるため、レーザダイオード１０４の寿命を短命化してしまうだけでなく、光ディスク２００の温度を上げる要因となる。そのため、本実施形態では、セットされた光ディスク２００の感熱層２０５の最低発色パワーを求め、そのレーザパワーを目標値とするようになっている。以上が、レーザパワー算出処理時の動作である。
【００５９】
次に、レーザパワー算出処理が終了した後に行われる処理として、レーザパワー補正処理がある。このレーザパワー補正処理は、後述する書き込み処理を行うか否かに関わらず、常時実行される処理である。まず、このレーザパワー補正処理の概要を説明する。
【００６０】
レーザ照射位置の温度およびレーザによる発熱は、以下のように表すことができる。
レーザ照射位置の温度＝レーザによる発熱＋光ディスクの温度　……式（１）
レーザによる発熱＝レーザパワー×熱変換率×スポット径／線速度　……式（２）
【００６１】
ここで、熱変換率は、感熱層２０５におけるレーザパワーの熱変換率である。したがって、式（１）から判るように、光ディスク２００の温度変化を相殺するようにレーザによる発熱を変化させれば、レーザ照射位置の温度を一定にすることが可能である。
そして、レーザ照射位置の温度を一定することができれば、レーザ照射位置が発色温度に至るまでの時間を一定にすることができ、これによって、記録感度を一定にすることができる。
【００６２】
一方、式（２）から判るように、レーザによる発熱を変化させるには、レーザパワー、スポット径、線速度のいずれかを変化させればよい。ただし、本実施形態では、ＣＡＶ方式を採用するため、線速度を自由に変化させると制御が複雑になる。また、スポット径を１０μｍ程度にフォーカス制御することを前提としているため、スポット径についても自由に変化させることができない。
そこで、本実施形態では、レーザパワーを変化させることによって、記録感度を一定に制御するようになっている。
【００６３】
次に、レーザパワー補正処理の詳細を説明する。ここで、図７は、レーザパワー補正処理時の制御部１３０の動作を示すフローチャートである。このレーザパワー補正処理は、制御部１３０が、所定の周期で常時実行するようになっている。
まず、制御部１３０は、温度検出回路１４１より回路基板の温度を取得し（ステップＳ３０）、ＲＡＭに格納しておいた前回入力した温度と異なるか否かを判別する（ステップＳ３１）。この判別結果が否定的であれば、つまり、温度変化がなければ、制御部１３０は、レーザパワー補正処理を終了する。
【００６４】
一方、温度変化があれば、判別結果が肯定的となり、制御部は、今回入力した温度と前回入力した温度とに基づいて、レーザパワーの補正量を算出する（ステップＳ３２）。この補正処理の算出方法については、様々な方法が考えられるが、ここでは代表的なものを２つ挙げる。
【００６５】
＜演算処理により補正量を得る方法＞
制御部１３０は、今回入力した温度と前回入力した温度とに基づいて、以下の式（３）によりレーザパワーの補正量を算出する。
レーザパワーの補正量＝（前回入力した温度−今回入力した温度）
／（熱変換率×スポット径／線速度）　……式（３）
ここで、熱変換率およびスポット径は、予め設定される固定値である。また、線速度は、本実施形態はＣＡＶ方式を採用するため、レーザ光照射位置の径方向の位置に基づいて簡易に算出することが可能な値である。
なお、本実施形態では、回路基板の温度を光ディスク２００の温度とみなす場合を説明するが、回路基板の温度と光ディスク２００との間に温度差が生じるような構成を採用している場合などは、取得した回路基板の温度を予め設定した温度差だけ補正した値を使用するようにすればよい。
【００６６】
＜テーブルを参照して補正量を得る方法＞
例えば、レーザパワーとレーザによる発熱温度との相関関係を記述したテーブルをＲＯＭに格納しておく。そして、制御部１３０は、そのテーブルを参照することによって、現在のレーザパワーを基準にして、前回入力した温度と今回入力した温度の温度差だけレーザによる発熱温度を下げるためのレーザパワーを特定する。これにより、制御部１３０は、特定したレーザパワーにするための補正量を取得することができる。
【００６７】
続いて、制御部１３０は、レーザパワーの補正量を算出すると、現在のレーザパワー目標値を補正量だけ補正するようにレーザパワー制御回路１４０に指示する（ステップＳ３３）。これにより、レーザパワー制御回路１４０は、レーザダイオード１０４のレーザパワーを補正する。上述したように、この補正によってライトレベル時のレーザパワーの目標値が補正されることとなる。
その後、制御部１３０は、ＲＡＭに格納した温度（前回入力した温度）を今回入力した温度に更新して（ステップＳ３４）、レーザパワー補正処理を終了する。これにより、光ディスク２００の温度が変化すると、その温度変化を相殺するようにレーザパワーが可変制御される。したがって、レーザ照射位置における光ディスク２００の温度を一定にでき、記録感度を一定にすることができる。
【００６８】
次に、書き込み処理を説明する。レーザパワー算出処理が終了し、ＰＣ３００から画像データが供給されてフレームメモリ１３４に記録されているものとする。ここで、図８は、書き込み処理時の制御部１３０の動作を示すフローチャートである。
まず、制御部１３０は、光ピックアップ１０３を光ディスク２００の最内周に移動させる命令を出力することにより、光ピックアップ１０３をその地点に移動させる（ステップＳ５１）。ただし、ここでの最内周は、レーザパワー算出処理にて書き込みを行った領域を除く必要があるため、書き込み可能な領域の最内周を意味している。
【００６９】
次に、制御部１３０は、フレームメモリ１３４に記憶されている画像データのうち光ピックアップ１０３が位置する行の画像データだけを１行分先読みする（ステップＳ５２）。そして、制御部１３０は、先読みした１行分の画像データがすべて「０」か否かを判別する（ステップＳ５３）。１行分の画像データがすべて「０」ということは、感熱層２０５のこの行は熱変色させる必要がないことを意味する。したがって、この判別結果が肯定的である場合は、制御部１３０は、処理を後述するステップＳ５７まで一気にスキップさせ、可視画像記録に要する時間を短縮する。
【００７０】
一方、この判別結果が否定的である場合は、制御部１３０は、基準信号ＳＦＧの立ち上がりタイミングが到来するまで待機する（ステップＳ５４）。
そして、基準信号ＳＦＧが立ち上がると、制御部１３０は、先読みした一行分の画像データ、または、フレームメモリ１３４からその行の画像データを読み出し、各列の画像データをクロック信号ＣＫの一周期に同期したタイミングで、レーザドライバ１３８に供給する（ステップＳ５５）。これにより、制御部１３０は、レーザドライバ１３８により、画像データに応じてレーザパワーをライトレベル、サーボレベルに切り替え制御する。より具体的には、制御部１３０は、画像データが「１」の場合はレーザパワーをライトレベルに制御し、画像データが「０」の場合ばサーボレベルに制御する。これにより、ライトレベルのレーザ照射位置は熱変色されることとなる。
【００７１】
ここで、上述したように、行の画像データを構成する各列の画像データは、クロック信号ＣＫの１周期に同期したタイミングで供給されるので、レーザパワーの切り替えについても、クロック信号ＣＫに同期したタイミングで行われることとなる。したがって、光ディスク２００が基準線から１ドットに対応する角度だけ回転する毎に、レーザ照射位置に対応する列の画像データに応じたパワーでレーザ光が照射され、レーベル面に可視画像のうちの１つの行の画像が記録されることとなる。
【００７２】
次いで、制御部１３０は、一行の画像データを全て出力すると（ステップＳ５６）、出力した画像データが最終行の画像データか否かを判別する（ステップＳ７）。この判別結果が否定的であれば、制御部１３０は、光ピックアップ１０３を次の行に対応する位置だけ径方向に移動させる命令を出力することにより、光ピックアップ１０３を次の行に移動させる（ステップＳ５８）。さらに、制御部１３０は、処理をステップＳ５２の処理に移行する。
これにより、フレームメモリ１３４から次の行の画像データが読み出され、上記ステップＳ５２〜ステップＳ５６の処理が繰り返されることとなる。これによって、レーベル面に可視画像の画像が１行毎に記録されていく。
【００７３】
その後、ステップＳ５７の判別結果が肯定的であれば、つまり、最終行の画像データの書き込みが終了すると、制御部１３０は、書き込み処理を終了する。これにより、画像データに対応する画像データが光ディスク２００のレーベル面に記録される。
【００７４】
以上説明したように、本実施形態に係る光ディスク記録装置１００によれば、レーザパワーを変えて試し書きを行うことによって、光ディスク２００の感熱層２０５を確実に熱変色させるレーザパワーを特定できるので、可視画像を確実に記録することができる。さらに、光ディスク記録装置１００は、光ディスク２００の温度変化に応じてレーザパワーを補正するので、レーザ照射位置の温度を一定にでき、記録感度を一定にすることができる。これにより、可視画像の輪郭がぼけてしまったり、コントラストに斑が生じる、といった不具合を解消でき、高品位な可視画像を記録することができる。したがって、プリンタを使用することなく、高品位な可視画像をレーベル面に記録することができる。
【００７５】
（２）　変形例
本願発明は、上述した実施形態に限らず種々の態様にて実施することができる。例えば、以下のような変形実施が可能である。
【００７６】
（２．１）
上述の実施形態では、温度検出回路１４１が感温素子により回路基板の温度を測定する場合について述べたが、回路上のトランジスタのジャンクション電圧に基づいて温度を推定するようにしてもよい。
また、光ディスク２００の温度を検出するために、温度検出回路１４１が回路基板の温度を測定する場合について述べたが、レーザダイオード１０４の温度、光ディスク記録装置１００の内部温度を測定するようにしてもよい。例えば、予め定めた受光レベルを得る時のレーザダイオード１０４の動作電流は、温度によって変化するので、このときの電流値や電圧値をモニタすればレーザダイオード１０４の温度を検出することができる。また、感温素子を光ディスク２００の近傍に配置すれば、光ディスク２００の周囲温度を測定することができる。
さらに、温度検出回路１４１が、回路基板の温度、レーザダイオード１０４の温度、光ディスク記録装置１００の内部温度などの複数の温度を検出するようにし、これらの温度値を用いた演算処理によって光ディスク２００の温度を精度良く推定できるようにしてもよい。
【００７７】
（２．２）
また、上述の実施形態において、光ディスク記録装置１００に光ディスク２００がセットされた直後、記録処理を行う直前、またはレーザパワー算出処理を行う直前などに光ディスク２００を一定期間高速回転させることが好ましい。一定期間高速回転させることによって、光ディスク２００の温度を光ディスク記録装置１００と同じにすることができる。仮に、光ディスク２００の温度と光ディスク記録装置１００の内部温度とに大きな差がある状態で可視画像の記録を行うと、書き始めに光ディスク２００の温度変化が大きいので、コントラストに斑が生じてしまう可能性がある。そこで、光ディスク２００の温度と光ディスク記録装置１００とを同じにした状態で、可視画像の記録などを行うようにすれば、書き始めの領域にコントラストの斑が生じる場合を回避することができる。
【００７８】
（２．３）
また、上述の実施形態において、光ディスク２００の感熱層２０５の発色温度が異常に高く、レーザパワー算出処理によって得られたレーザパワーが、かなり高い場合は、光ディスク２００の回転速度（スピンドルモータ１０１の回転速度）を落として高めのレーザパワー（例えば、使用可能な範囲でのフルパワー）で書き込み処理を行うようにすればよい。但し、このように高めのレーザパワーを出力させる場合は、レーザダイオード１０４の温度が保証温度を超えるおそれがある。そこで、その場合は、途中で書き込みを中断し、レーザダイオード１０４が冷えるのを待つか、回転速度を上げてその風圧によってレーザダイオード１０４を積極的に冷却するようにすればよい。
【００７９】
（２．４）
また、上述の実施形態においては、レーザパワーを変化させることによって、記録感度を一定に制御する場合について述べたが、式（１）に示すように、線速度を変化させてもレーザ照射位置の温度を変化させることができる。このため、レーザパワーを変化させる方法に代えて、線速度を変化させて記録感度を一定に制御するようにしてもよい。この場合、温度検出回路１４１によって検出された温度に基づいて、光ディスク２００の回転速度を制御するようにすればよい。
【００８０】
（２．５）
また、上述の実施形態においては、レーザパワー算出処理を実行することによって、光ディスク２００の感熱層２０５を熱変色させるレーザパワーを特定する場合について述べたが、必ず熱変色可能なレーザパワーを予め定めておいて、レーザパワー算出処理を必要としない構成にしてもよい。
また、単純に、温度検出回路１４１によって検出される温度だけに基づいてレーザパワーを設定するようにして、レーザパワー算出処理およびレーザパワー補正処理を必要としない構成にしてもよい。
【００８１】
（２．６）
上述の実施形態においては、レーザパワー補正処理は、検出した温度の変化に応じてレーザパワーを補正する場合について述べたが、レーベル面の熱変色位置を照射したときの受光レベルの変化率を求め、この変化率が一定になるようにレーザパワーをフィードバック制御するようにしてもよい。
具体的には、図９に示すように、ＲＦ信号（または受光信号Ｒｖ）の立ち上がり時（Ａ地点）のレベルＬＡと、立ち上がりから所定期間経過後のＢ地点のレベルＬＢとを検出し、レベルＬＡとＬＢとの比率が予め定めた比率の範囲を満足するように、レーザパワー（ライトレベル）を補正すればよい。なお、この図においては、説明を判り易くするため、補正前と補正後のレーザ光およびＲＦ信号の波形を示している。より具体的には、クロック信号ＣＫを逓倍して、さらに周波数の高いクロック信号ＣＫ１を生成し、Ａ地点は、クロック信号ＣＫの立ち上がりによって検出でき、Ｂ地点は、クロック信号ＣＫの立ち上がり後のクロック信号ＣＫ１を所定数だけカウントすることによって検出することができる。このクロック信号ＣＫ１のカウント数を変更すれば、Ｂ地点を変更することも可能である。このように、受光レベルの変化率に応じてレーザパワーを補正するようにすれば、感熱層２０５を確実に変色させることができ、また、所望のタイミング（上述の場合、Ｂ地点）で変色させることができるので記録感度を一定にすることができ、上述の実施形態と同様の効果を得ることができる。
【００８２】
なお、この受光レベルの変化率を測定する方法は、２点に限定する必要は必ずしもなく、さらに多くの地点のレベルを測定して受光レベルの変化率の変化（変化特性）を求めるようにしてもよい。熱変色位置における受光レベルの変化特性が目的の変化特性になるようにレーザパワーを補正すれば、さらに、記録感度を一定にすることができる。また、この場合も、受光レベルの変化率に応じてレーザパワーを制御する方法に代えて、受光レベルの変化率に応じて線速度（具体的には、光ディスク２００の回転速度）を制御するようにしてもよいことは勿論である。
【００８３】
（２．７）
また、上述の実施形態においては、感熱層２０５にレーザ光を照射して可視画像を記録する構成としたが、情報記録時に用いる記録層についても、レーザ光によって熱変色するので、本発明では、この記録層２０２を変色層としても用いることが可能である。このように変色層として記録層２０２を用いると、記録面に記録データを記録した後に、光ディスク２００を裏返すことなく、直ちに可視画像記録動作に移行することができる。この記録層２０２を変色層として用いれば、感熱層２０５が形成されていない一般のＣＤ−Ｒに対しても高品位な可視画像を記録することができる。
【００８４】
【発明の効果】
上述したように本発明によれば、プリンタを必要とすることなく、光ディスクに高品位な可視画像を記録することが可能となる。
【図面の簡単な説明】
【図１】本実施形態に係る光ディスク記録装置で使用される光ディスクの断面図である。
【図２】光ディスク記録装置の電気的構成を示すブロック図である。
【図３】光ピックアップの構成を示す図である。
【図４】画像データによって規定される光ディスクの座標の説明に供する図である。
【図５】レーザ照射位置の検出の説明に供する図である。
【図６】レーザパワー算出時の制御部の動作を示すフローチャートである。
【図７】レーザパワー補正処理時の制御部の動作を示すフローチャートである。
【図８】書き込み処理時の制御部の動作を示すフローチャートである。
【図９】変形例の説明に供する図である。
【符号の説明】
１００……光ディスク記録装置。
１０３……光ピックアップ、
１３０……制御部、
１３８……レーザドライバ
１４０……レーザパワー制御回路、
１４１……温度検出回路、
２００……光ディスク、２０５……感熱層。
【図１】
2004030831.tif 000003
【図２】
2004030831.tif 000004
【図３】
2004030831.tif 000005
【図４】
2004030831.tif 000006
【図５】
2004030831.tif 000007
【図６】
2004030831.tif 000008
【図７】
2004030831.tif 000009
【図８】
2004030831.tif 000010
【図９】
2004030831.tif 000011